(57)【要約】      （修正有）【課題】ＡＣアダプタによる電源不要にした受信モジュール及びこれを用いた信号伝送装置を提供する。【解決手段】ホストコンピュータ１からの画像信号及び制御信号は、画像信号に対しては光信号に変換して光ファイバ５により、また、電気信号はそのまま電気ケーブル６により画像表示装置２の受信モジュール７へ伝送する。受信モジュール７は、光ファイバ５及び電気ケーブル６を結合するコネクタ及び光−電気変換回路を備えた光ＤＶＩ受信ユニットと、着脱自在に光ＤＶＩ受信ユニットが装着されると共に、光ＤＶＩ受信ユニットに画像表示装置２から電源の供給を行う電源供給基板とから構成されている。電源供給基板は、画像表示装置２内に取り付けられている。【選択図】図１
2009015041.tif 000002
【特許請求の範囲】
【請求項１】
信号伝送媒体からの画像信号及び制御信号を受信するコネクタを備えた受信ユニットと、
画像表示装置内に設けられると共に前記画像表示装置から電源供給を受けて前記受信ユニットに電源を供給し、前記受信ユニットからの前記画像信号及び前記制御信号を前記画像表示装置へ出力する電源供給基板と、
を備えたことを特徴とする受信モジュール。
【請求項２】
前記コネクタは、前記画像信号を受信する光コネクタ及び前記制御信号を受信する電気コネクタからなることを特徴とする請求項１に記載の受信モジュール。
【請求項３】
前記コネクタは、ＤＶＩ（Digital Visual Interface）信号伝送用のコネクタであることを特徴とする請求項１に記載の受信モジュール。
【請求項４】
前記受信ユニットは、前記電源供給基板に対して着脱自在であることを特徴とする請求項１に記載の受信モジュール。
【請求項５】
請求項１乃至４のいずれか１項に記載の受信モジュールと、
前記受信モジュールを背面に備えた画像表示装置と、
前記画像表示装置へ画像信号及び制御信号を提供するホストコンピュータと、
前記ホストコンピュータと前記受信モジュールとを接続する信号伝送媒体と、
を備えたことを特徴とする信号伝送装置。
【請求項６】
前記受信モジュールは、前記画像表示装置に対し、任意の方向から前記信号伝送媒体が接続されるように配置されていることを特徴とする請求項５に記載の信号伝送装置。
【請求項７】
前記受信モジュールは、前記電源供給基板と前記受信ユニットが分離され、前記電源供給基板と前記受信ユニットが電線によって接続されたことを特徴とする請求項５に記載の信号伝送装置。
【請求項８】
前記ホストコンピュータは、前記画像信号としてＤＶＩ（Digital Visual Interface）信号、あるいはＨＤＭＩ（High Definition Multimedia Interface）信号を出力することを特徴とする請求項５に記載の信号伝送装置。
【請求項９】
前記ホストコンピュータは、前記画像信号を電気−光変換して出力する電気−光変換ボード、及び前記電気−光変換ボードに電源を供給する電源供給ボードが拡張スロットに実装されていることを特徴とする請求項５に記載の信号伝送装置。
【請求項１０】
前記信号伝送媒体は、前記画像信号を伝送する光ファイバ及び前記制御信号を伝送する電気ケーブルからなることを特徴とする請求項５に記載の信号伝送装置。
【請求項１１】
前記信号伝送媒体は、前記画像信号及び前記制御信号を伝送する電気ケーブルからなることを特徴とする請求項５に記載の信号伝送装置。
【発明の詳細な説明】
【技術分野】
【０００１】
本発明は、受信モジュール及びこれを用いた信号伝送装置に関する。
【背景技術】
【０００２】
デジタル画像信号、例えば、ＤＶＩ（Digital Visual Interface）信号によりホストコンピュータから液晶ディスプレイ（ＬＣＤ）、プラズマディスプレイなどの画像表示装置に画像信号伝送を行う場合、特許文献１に示すように、ＤＶＩ信号を光信号に変換して伝送することにより、伝送損失を生じることなく、長距離伝送が可能になる。
【０００３】
例えば、メタルケーブル（電気ケーブル）によるＤＶＩ画像信号の伝送可能距離が５ｍ程度であるのに対し、光ファイバによりＤＶＩ画像信号を光信号で伝送すると１０００ｍ以上の長距離伝送が可能になる。
【０００４】
ところで、ＤＶＩにおいては、制御信号にＤＣ＋５Ｖが出力されているが、ＤＤＷＧ（Digital Display Working Group）が策定したＴＭＤＳ（Transmission Minimized Differential signaling）規格では、＋５Ｖの容量の上限が５０ｍＡになっている。これに対し、光信号と電気信号との変換を行う送信モジュール及び受信モジュールは、数１００ｍＡの電流を必要とするため、ＤＶＩの電源ラインを用いて送・受信のモジュールを駆動することはできない。
【０００５】
そこで、特許文献１の送信モジュールでは、送信モジュールと受信モジュールのそれぞれに個別にＡＣアダプタを接続し、光信号と電気信号の変換に必要な電流量を十分に供給できるようにしている。
【特許文献１】特開２００５−５１７３０号公報
【発明の開示】
【発明が解決しようとする課題】
【０００６】
本発明の目的は、ＡＣアダプタによる電源を不要にした受信モジュール及びこれを用いた信号伝送装置を提供することにある。
【課題を解決するための手段】
【０００７】
本発明の第１の態様は、上記目的を達成するため、以下の受信モジュールを提供する。
【０００８】
［１］信号伝送媒体からの画像信号及び制御信号を受信するコネクタを備えた受信ユニットと、画像表示装置内に設けられると共に前記画像表示装置から電源供給を受けて前記受信ユニットに電源を供給し、前記受信ユニットからの前記画像信号及び前記制御信号を前記画像表示装置へ出力する電源供給基板と、を備えたことを特徴とする受信モジュール。
【０００９】
［２］前記コネクタは、前記画像信号を受信する光コネクタ及び前記制御信号を受信する電気コネクタからなることを特徴とする前記［１］に記載の受信モジュール。
【００１０】
［３］前記コネクタは、ＤＶＩ（Digital Visual Interface）信号伝送用のコネクタであることを特徴とする前記［１］に記載の受信モジュール。
【００１１】
［４］前記受信ユニットは、前記電源供給基板に対して着脱自在であることを特徴とする前記［１］に記載の受信モジュール。
【００１２】
本発明の第２の態様は、上記目的を達成するため、以下の信号伝送装置を提供する。
【００１３】
［５］前記［１］乃至［４］のいずれか１項に記載の受信モジュールと、前記受信モジュールを背面に備えた画像表示装置と、前記画像表示装置へ画像信号及び制御信号を提供するホストコンピュータと、前記ホストコンピュータと前記受信モジュールとを接続する信号伝送媒体と、を備えたことを特徴とする信号伝送装置。
【００１４】
［６］前記受信モジュールは、前記画像表示装置に対し、任意の方向から前記信号伝送媒体が接続されるように配置されていることを特徴とする前記［５］に記載の信号伝送装置。
【００１５】
［７］前記受信モジュールは、前記電源供給基板と前記受信ユニットが分離され、前記電源供給基板と前記受信ユニットが電線によって接続されたことを特徴とする前記［５］に記載の信号伝送装置。
【００１６】
［８］前記ホストコンピュータは、前記画像信号としてＤＶＩ（Digital Visual Interface）信号、あるいはＨＤＭＩ（High Definition Multimedia Interface）信号を出力することを特徴とするに前記［５］記載の信号伝送装置。
【００１７】
［９］前記ホストコンピュータは、前記画像信号を電気−光変換して出力する電気−光変換ボード、及び前記電気−光変換ボードに電源を供給する電源供給ボードが拡張スロットに実装されていることを特徴とする前記［５］に記載の信号伝送装置。
【００１８】
［１０］前記信号伝送媒体は、前記画像信号を伝送する光ファイバ及び前記制御信号を伝送する電気ケーブルからなることを特徴とする前記［５］に記載の信号伝送装置。
【００１９】
［１１］前記信号伝送媒体は、前記画像信号及び前記制御信号を伝送する電気ケーブルからなることを特徴とする前記［５］に記載の信号伝送装置。
【発明の効果】
【００２０】
請求項１の受信モジュールによれば、ＡＣアダプタによる電源を不要にすることができる。
【００２１】
請求項２の受信モジュールによれば、画像信号の劣化を抑制することができる。
【００２２】
請求項３の受信モジュールによれば、ＤＶＩに対応することができる。
【００２３】
請求項４の受信モジュールによれば、伝送方式の異なる受信ユニットを交換して使用することができる。
【００２４】
請求項５の信号伝送装置によれば、光信号を受信する受信モジュールの電源にＡＣアダプタを不要にすることができる。
【００２５】
請求項６の信号伝送装置によれば、信号伝送媒体が画像表示装置の下側から露出しないようにすることができる。
【００２６】
請求項７の信号伝送装置によれば、電源供給基板と受信ユニットが一体的に設けられている構成と比較して受信ユニットのレイアウトの自由度が高くなる。
【００２７】
請求項８の信号伝送装置によれば、ＤＶＩに対応した画像表示装置を使用することができる。
【００２８】
請求項９の信号伝送装置によれば、送信側及び受信側の電源としてＡＣアダプタを不要にすることができる。
【００２９】
請求項１０の信号伝送装置によれば、画像信号の低減を抑制することができる。
【００３０】
請求項１１の信号伝送装置によれば、伝送系路の構成を簡単にすることができる。
【発明を実施するための最良の形態】
【００３１】
［第１の実施の形態］
図１は、本発明の第１の実施の形態に係る信号伝送装置を示す図である。なお、図１においては、ホストコンピュータ及び画像表示装置は背面を図示している。
【００３２】
（信号伝送装置の構成）
信号伝送装置１００は、ホストコンピュータ１と、ホストコンピュータ１からの画像・音声データに基づいて画像表示及び音声出力を行う画像表示装置２と、ＤＶＩケーブル３を介してホストコンピュータ１に接続された送信モジュール４と、信号伝送媒体としての光ファイバ５及び電気ケーブル６を介して送信モジュール４に接続されると共に画像表示装置２の背面側に取り付けられた受信モジュール７と、送信モジュール４に電源を供給するＡＣアダプタ８とを備えて構成されている。
【００３３】
ホストコンピュータ１は、例えば、市販のパーソナルコンピュータを用いることができ、その背面には、拡張スロットであるＰＣＩスロット（Peripheral Component Interconnect bus slot）１ａや、キーボード及びマウスのソケット、ＬＡＮジャック、オーディオポートコネクタ、ＵＳＢコネクタ等のバックパネル（図示せず）が設けられている。また、前面には、ＤＶＤ／ＣＤドライブ、フロッピー（登録商標）ディスクドライブ、電源スイッチ、リセットスイッチ、動作状態表示用ＬＥＤ等が設けられている。また、ＤＶＩによる画像信号を出力する機能を備えている。
【００３４】
ホストコンピュータ１は、例えば、駅、デパート、展示場等の管理事務所等に設置され、画像表示装置２は比較的大型の画面サイズを有して、ホストコンピュータ１から遠距離の場所、例えば、駅ホーム、休憩所、案内所、展示コーナ等の壁面、天井等に設置される。
【００３５】
画像表示装置２は、受信モジュール７に接続された処理回路を有すると共に、例えば、表示ユニットにＤＶＩ対応のＬＣＤ（液晶ディスプレイ）が用いられており、更に、このＬＣＤを駆動する表示制御回路、音声増幅回路、スピーカ、及び電源回路（いずれも図示せず）を備えて構成されている。
【００３６】
送信モジュール４は、ホストコンピュータ１からのＤＶＩ信号を光信号に変換する電気−光変換素子、処理回路及び安定化電源回路等が実装された基板等を本体４ａに内蔵し、本体４ａの側面に設けられたコネクタ（図示せず）には、ＤＶＩケーブル３、光ファイバ５及び電気ケーブル６が接続される。
【００３７】
光ファイバ５は、マルチモードのファイバであり、両端には、光コネクタ５０Ａ，５０Ｂが取り付けられている。本実施の形態においては、光ファイバ５は４芯からなり、同時に４ビットの光信号を伝送することができる。
【００３８】
電気ケーブル６は、ＬＡＮなどに使用される「カテゴリー５」あるいは「カテゴリー６」の信号線であり、その両端に電気コネクタ６０Ａ，６０Ｂが取り付けられている。
【００３９】
受信モジュール７は、光ファイバ５からの光信号によるＤＶＩ信号を、電気信号によるＤＶＩ信号に変換する光−電気変換素子及び処理回路等を備えて構成されている。この受信モジュール７の電源は、画像表示装置２の電源回路から供給される。
【００４０】
ＡＣアダプタ８は、電源トランス、整流回路等が内蔵された本体８ｄを有し、この本体８ｄには、ＡＣ１００Ｖのコンセントに挿入されるプラグ８ａが取り付けられたコード８ｂと、送信モジュール４に接続されたコード８ｃとが接続されている。
【００４１】
（受信モジュールの構成）
図２は、受信モジュールの分解斜視図である。
【００４２】
図３は、受信モジュールの光ＤＶＩ受信ユニットを示し、（ａ）は前面方向から見た斜視図、（ｂ）は後面方向から見た斜視図である。
【００４３】
受信モジュール７は、図２に示すように、画像表示装置２内に収納される電源供給基板７ａと、電源供給基板７ａに接続されると共に送信モジュール４からの画像信号を受信する受信ユニットとしての光ＤＶＩ受信ユニット７ｂとを備えて構成されている。
【００４４】
電源供給基板７ａは、光ＤＶＩ受信ユニット７ｂ側の辺がＵ字形を成したプリント配線基板７１と、光ＤＶＩ受信ユニット７ｂをねじ止め固定するためにＵ字形部の突出片７２Ａ，７２Ｂに設けられた４つのねじ孔７３と、Ｕ字形部の内側に沿ってプリント配線基板７１上に設けられると共に光ＤＶＩ受信ユニット７ｂに接続される電気コネクタ７４と、光ＤＶＩ受信ユニット７ｂ側の辺の反対側の辺に設けられ、画像表示装置２内の回路に接続される接続端子７５と、プリント配線基板７１に実装され、ＴＭＤＳ信号を受信して接続端子７５へ映像信号を出力するＩＣ８３と、画像表示装置２の電源回路から所定の電源供給を受けてＩＣ８３及び光ＤＶＩ受信ユニット７ｂ内の光電−変換素子等が必要とする５Ｖ、３．３Ｖ等の直流電圧を生成する電源用ＩＣ９０とを備えて構成されている。電気コネクタ７４と接続端子７５は、図示しない配線パターンによって一部が直接に接続され、それ以外はＩＣ８３を介して接続される。また、必要に応じて信号系内に挿入されるフィルタ等が、プリント配線基板７１に実装される。
【００４５】
光ＤＶＩ受信ユニット７ｂは、図３に示すように、光ファイバ５側の光コネクタ５０Ａが接続される複数の光コネクタ７６、及び電気ケーブル６の電気コネクタ６０Ａが接続される電気コネクタ７７が前面に設けられ、後面には、電気コネクタ７４に接続される電気コネクタ７８が設けられており、これらのコネクタ７６〜７８は、基板８２上に実装されている。また、基板８２には、光コネクタ７６に接続された光−電変換素子、アンプ及び処理回路（いずれも図示せず）等が搭載されている。
【００４６】
更に、光ＤＶＩ受信ユニット７ｂは、基板８２上を覆うようにして金属製のシールド７９が設けられ、その両側には取付片８０Ａ，８０Ｂが設けられている。この取付片８０Ａ，８０Ｂは、４つのねじ孔７３に対応させて４つのねじ孔８１が設けられている。シールド７９は、外来ノイズ等が光−電変換素子、アンプ等に影響を与えないようにするために設けられている。
【００４７】
（受信モジュールの組立）
まず、プリント配線基板７１に突出片７２Ａ，７２Ｂ及び接続端子７５が設けられ、更に、電気コネクタ７４、ＩＣ８３及び電源用ＩＣ９０が実装された電源供給基板７ａを用意する。
【００４８】
次に、電源供給基板７ａの取付片８０Ａと取付片８０Ｂを光ＤＶＩ受信ユニット７ｂの突出片７２Ａ，７２Ｂに位置決めする。その状態のまま、光ＤＶＩ受信ユニット７ｂを電気コネクタ７４の方向へ移動させ、電気コネクタ７８を電気コネクタ７４に挿入する。また、４つのねじ孔７３と４つのねじ孔８１を合致させる。
【００４９】
次に、重ね合わされたねじ孔７３，８１に図示しないビスを挿入し、図示しないナットで締め付ける。
【００５０】
（信号伝送装置の動作）
次に、図１及び図２を参照して信号伝送装置１００の動作を説明する。図１に示すように、ホストコンピュータ１にＤＶＩケーブル３を介して送信モジュール４を接続し、この送信モジュール４と画像表示装置２の受信モジュール７とを光ファイバ５及び電気ケーブル６により接続する。また、ＡＣアダプタ８のプラグ８ａを１００Ｖのコンセントに挿入し、コード８ｃを送信モジュール４の電源ソケットに接続する。更に、ホストコンピュータ１及び画像表示装置２の電源コードのプラグを１００Ｖのコンセントに挿入する。
【００５１】
次に、ホストコンピュータ１、画像表示装置２及び送信モジュール４の電源をオンにする。画像表示装置２が電源オンになることで、接続端子７５を介して電源供給基板７ａの電源用ＩＣ９０に＋６Ｖ等の電源が供給され、電源用ＩＣ９０は６Ｖから＋５Ｖ、＋３．３Ｖ等の直流安定化電圧を生成する。電源用ＩＣ９０の出力電圧は、＋５ＶがＩＣ８３に供給され、＋３．３Ｖが光ＤＶＩ受信ユニット７ｂの光−電変換素子及びアンプへ供給される。
【００５２】
オペレータの操作により、ホストコンピュータ１は、画像表示装置２に表示させたい画像及び音声データに対するＤＶＩ信号（ＴＭＤＳ ｄａｔａ０±〜ＴＭＤＳ ｄａｔａ２±、クロック信号ＴＭＤＳ ｃｌｏｋ±）を生成し、ＤＶＩケーブル３を介して送信モジュール４へＤＶＩ信号を送信する。送信モジュール４は、数百ＭＨｚ〜数ＧＨｚの高周波信号である映像信号、即ちＲｅｄ、Ｇｒｅｅｎ、Ｂｌｕｅ及びＣｌｏｃｋの各信号を光ファイバ５へ出力し、数百ｋＨｚの低い周波数である制御信号、即ち、ＤＤＣ(Display Data Channel)信号と画像表示装置２の接続を認識するＨＰＤ（Hot Plug Detect）信号は電気ケーブル６へ出力する。ここで、ＨＰＤ信号は、ホストコンピュータ１と画像表示装置２との接続確認用の信号である。
【００５３】
映像信号は、光ファイバ５を介して受信モジュール７に伝送され、受信モジュール７の光ＤＶＩ受信ユニット７ｂによって光−電気変換される。更に、ＩＣ８３によってＲ，Ｇ，Ｂ信号からシリアル信号に変換される。
【００５４】
また、制御信号は、電気ケーブル６を介して受信モジュール７に送られる。この制御信号及びＩＣ８３によって変換された画像信号は、共に電気コネクタ７８へ出力され、更に、電源供給基板７ａの電気コネクタ７４を介して接続端子７５へ出力される。
【００５５】
接続端子７５からの映像信号及び制御信号は、画像表示装置２内の信号処理回路に送られ、更に表示制御回路及びＬＣＤ駆動回路が動作することにより、ＬＣＤに画像が表示される。
【００５６】
［第２の実施の形態］
図４は、本発明の第２の実施の形態に係る信号伝送装置を示す図である。なお、図４においては、ホストコンピュータ及び画像表示装置は背面を図示している。
【００５７】
図５は、図４の信号伝送装置における受信モジュールを示す図である。
【００５８】
本実施の形態は、第１の実施の形態において、光ＤＶＩ受信ユニット７ｂに代えて電気信号に対応した電気ＤＶＩ受信ユニット７ｃを用いると共に、送信モジュール４及びＡＣアダプタ８を除去し、電気ＤＶＩ受信ユニット７ｃとホストコンピュータ１をＤＶＩケーブル３で直結するようにしたものであり、その他の構成は第１の実施の形態と同様である。
【００５９】
電気ＤＶＩ受信ユニット７ｃは、図５に示すように、基板８２上の前部にＤＶＩコネクタ８４を実装して構成され、このＤＶＩコネクタ８４には図示しない配線パターンを通して電気コネクタ７８が接続されている。従って、電気ＤＶＩ受信ユニット７ｃは、光−電変換素子及び処理回路を搭載していない。また、光伝送を行わないので、図１に示した送信モジュール４は不要である。
【００６０】
なお、電源供給基板７ａの構成は、第１の実施の形態のままであるため、電気コネクタ７４の電源用端子には、上記した３．３Ｖ等の電圧が印加されているが、電気ＤＶＩ受信ユニット７ｃ側では電気コネクタ７４にＮＣ（ノーコネクト）になっている。
【００６１】
また、ＤＶＩケーブル３は、電気ケーブルであるため、外来ノイズの影響を受けやすい。従って、電気ＤＶＩ受信ユニット７ｃを用いた信号伝送装置１００は、光伝送の必要がなく、ホストコンピュータ１と画像表示装置２の距離が短い場合（例えば５ｍ以下）に適している。
【００６２】
［第３の実施の形態］
図６は、本発明の第３の実施の形態に係る信号伝送装置を示す図である。
【００６３】
本実施の形態は、第１の実施の形態において、電源供給基板７ａと光ＤＶＩ受信ユニット７ｂを分離して両者を電線８５で接続すると共に、光ＤＶＩ受信ユニット７ｂを光コネクタ５０Ａ及び電気コネクタ６０Ａが上向きになるようにして画像表示装置２の背面に取り付けたものであり、その他の構成は第１の実施の形態と同様である。
【００６４】
電源供給基板７ａから光ＤＶＩ受信ユニット７ｂへの電源供給は、電線８５を介して行われる。また、光ファイバ５からの光信号を光ＤＶＩ受信ユニット７ｂで光電変換したＤＶＩ信号は、電線８５を介して画像表示装置２へ送られる。
【００６５】
なお、電源供給基板７ａは、第１の実施の形態と同様の機能を備えるが、直に光ＤＶＩ受信ユニット７ｂを取り付けないので、図２に示した突出片７２Ａ，７２Ｂを設けない構成にすることもできる。
【００６６】
光コネクタ５０Ａ及び電気コネクタ６０Ａの近傍における光ファイバ５及び電気ケーブル６は、図６に示すように上方から引き出すものとし、光ファイバ５及び電気ケーブル６が画像表示装置２の下方を通行する人から見えないように布線する。なお、光コネクタ５０Ａ及び電気コネクタ６０Ａの向きは上側に限定されるものではなく、例えば、斜め上方向、横方向等の任意の方向であってもよい。
【００６７】
［第４の実施の形態］
図７は、本発明の第４の実施の形態に係る信号伝送装置を示す図である。
【００６８】
（信号伝送装置の構成）
本実施の形態は、図６に示した第３の実施の形態において、送信モジュール４及びＡＣアダプタ８を除去し、ホストコンピュータ１に電気−光変換ボード８６、電源供給ボード８７及びＤＶＩ信号の出力端子を持つグラフィックボード８８を拡張スロットに装着し、電気−光変換ボード８６と光ＤＶＩ受信ユニット７ｂを光ファイバ５及び電気ケーブル６で接続したものであり、その他の構成は第３の実施の形態と同様である。
【００６９】
（信号伝送装置の動作）
ホストコンピュータ１のグラフィックボード８８からＤＶＩ信号が出力されると、このＤＶＩ信号は、電気ケーブル８９を介してグラフィックボード８８から電源供給ボード８７へ送られる。電源供給ボード８７は、ＤＶＩ信号を電気−光変換ボード８６へ出力され、電気−光変換ボード８６によって光デジタル信号の映像信号に変換される。
【００７０】
電気−光変換ボード８６による光信号は、光コネクタ５０Ｂ、光ファイバ５及び光コネクタ５０Ａを経て受信モジュール７の光ＤＶＩ受信ユニット７ｂに伝送される。また、ＤＶＩ信号の制御信号は、電気コネクタ６０Ｂ、電気ケーブル６及び電気コネクタ６０Ａを介して画像表示装置２に伝送される。光ＤＶＩ受信ユニット７ｂは、ＤＶＩ信号を光電−変換し、この光電変換されたＤＶＩ信号と電気ケーブル６を介して受信された制御信号は画像表示装置２内の信号処理回路に送られ、更に表示制御回路及びＬＣＤ駆動回路が動作することにより、画像表示装置２のＬＣＤに画像が表示される。
【００７１】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【００７２】
また、上記実施の形態においては、デジタル画像信号はＤＶＩ信号であるとしたが、同様なＴＭＤＳ信号で送受信が行われるＨＤＭＩ（High Definition Multimedia Interface）であっても本発明を適用可能である。また、同様のデジタル信号による画像信号伝送にも適用可能であることは言うまでもない。
【００７３】
また、画像表示装置２は、ＬＣＤを用いた構成としたが、他の動作原理によるディスプレイ、例えば、プラズマディスプレイ、ＣＲＴ等であってもよい。
【図面の簡単な説明】
【００７４】
【図１】図１は、本発明の第１の実施の形態に係る信号伝送装置を示す図である。
【図２】図２は、受信モジュールの分解斜視図である。
【図３】図３は、受信モジュールの光ＤＶＩ受信ユニットを示し、（ａ）は前面方向から見た斜視図、（ｂ）は後面方向から見た斜視図である。
【図４】図４は、本発明の第２の実施の形態に係る信号伝送装置を示す図である。
【図５】図５は、図４の信号伝送装置における受信モジュールを示す図である。
【図６】図６は、本発明の第３の実施の形態に係る信号伝送装置を示す図である。
【図７】図７は、本発明の第４の実施の形態に係る信号伝送装置を示す図である。
【符号の説明】
【００７５】
１  ホストコンピュータ
２  画像表示装置
３  ＤＶＩケーブル
４  送信モジュール
４ａ  本体
５  光ファイバ
７  受信モジュール
７ａ  電源供給基板
７ｂ  光ＤＶＩ受信ユニット
７ｃ  電気ＤＶＩ受信ユニット
８  ＡＣアダプタ
８ａ  プラグ
８ｂ，８ｃ  コード
８ｄ  本体
５０Ａ，５０ｂ  光コネクタ
６０Ａ，６０Ｂ  電気コネクタ
７１  プリント配線基板
７２Ａ，７２Ｂ  突出片
７３，８１  ねじ孔
７４  電気コネクタ
７５  接続端子
７６  光コネクタ
７７，７８  電気コネクタ
７９  シールド
８０Ａ，８０Ｂ  取付片
８２  基板
８３  ＩＣ
８４  ＤＶＩコネクタ
８５  電線
８６  電気−光変換ボード
８７  電源供給ボード
８８  グラフィックボード
８９  電気ケーブル
９０  電源用ＩＣ
１００  信号伝送装置
【図１】
2009015041.tif 000003
【図２】
2009015041.tif 000004
【図３】
2009015041.tif 000005
【図４】
2009015041.tif 000006
【図５】
2009015041.tif 000007
【図６】
2009015041.tif 000008
【図７】
2009015041.tif 000009